(57)【要約】【課題】モニタの高さ方向に場所をとらずに、ＡＶ機器を操作可能な状態で収納する設置台を提供する。【解決手段】設置台１０は、正面に配置された設置台側可動設置台側リモコン受光部１０ａ１を備える。設置台側可動設置台側リモコン受光部１０ａ１で受光した操作信号を発光する、上面に配置された設置台側可動設置台側リモコン発光部１０ｂ１を備える。操作状態を接続したモニタに表示可能なＨＤＤレコーダ５０を、ＨＤＤレコーダのリモコン受光部が設置台側可動設置台側リモコン発光部１０ｂ１と対向する位置関係で、上面に固定可能である。【選択図】図３
2008167372.tif 000002
【特許請求の範囲】
【請求項１】
正面に配置された設置台側リモコン受光部と、
前記設置台側リモコン受光部で受光した操作信号を発光する、上面に配置された設置台側リモコン発光部とを備え、
操作状態を接続したモニタに表示可能なＡＶ機器を、前記ＡＶ機器のリモコン受光部が前記設置台側リモコン発光部と対向する位置関係で、前記上面に設置可能であることを特徴とする設置台。
【請求項２】
前記設置台側リモコン受光部は、前記正面において受光位置が移動可能であることを特徴とする請求項１に記載の設置台。
【請求項３】
前記設置台側リモコン発光部は、前記上面において発光位置が移動可能であることを特徴とする請求項１に記載の設置台。
【請求項４】
前記上面に、取り付け部材を備え、
前記ＡＶ機器は、前記上面において、前記取り付け部材によって、前記正面から前記背面への前後方向に向かって挟まれることにより、前記ＡＶ機器の前記前後方向の位置を調整し且つ前記設置が行われることを特徴とする請求項１に記載の設置台。
【請求項５】
前記モニタは、底部と前記底部と前記モニタとの間を接続する首部とから構成されるスタンドの上に載置され、
前記設置台は、前記モニタの背面に配置され、前記ＡＶ機器のリモコンは、前記モニタの正面側から、前記モニタと前記底部の間の空間を介して、前記設置台側リモコン受光部に対して操作信号を発光することを特徴とする請求項１に記載の設置台。
【請求項６】
前記設置台側リモコン受光部、前記設置台側リモコン発光部、及びこれらの間のケーブルは、光ファイバケーブルで構成されることを特徴とする請求項１に記載の設置台。
【発明の詳細な説明】
【技術分野】
【０００１】
本発明は、ＨＤＤレコーダなどのＡＶ機器の設置台に関する。
【背景技術】
【０００２】
ＴＶに接続されるＡＶ機器を設置するＡＶシステムラックが提案されている。
【０００３】
特許文献１は、ＴＶを載置するキャビネット内にＡＶ機器を収納可能なＡＶシステムラックを開示する。
【特許文献１】特開２００４−１５３７７１号公報
【発明の開示】
【発明が解決しようとする課題】
【０００４】
しかし、特許文献１のＡＶシステムラックは、ＴＶの下にキャビネットを配置するスペース（ＴＶの高さ方向に場所）を必要とする。
【０００５】
したがって本発明の目的は、モニタの高さ方向に場所をとらずに、ＡＶ機器を操作可能な状態で収納する設置台を提供することである。
【課題を解決するための手段】
【０００６】
本発明に係る設置台は、正面に配置された設置台側リモコン受光部と、設置台側リモコン受光部で受光した操作信号を発光する、上面に配置された設置台側リモコン発光部とを備え、操作状態を接続したモニタに表示可能なＡＶ機器を、ＡＶ機器のリモコン受光部が設置台側リモコン発光部と対向する位置関係で、上面に設置可能である。
【０００７】
好ましくは、設置台側リモコン受光部は、正面において受光位置が移動可能である。
【０００８】
また、好ましくは、設置台側リモコン発光部は、上面において発光位置が移動可能である。
【０００９】
また、好ましくは、上面に、取り付け部材を備え、ＡＶ機器は、上面において、取り付け部材によって、正面から背面への前後方向に向かって挟まれることにより、ＡＶ機器の前後方向の位置を調整し且つ設置が行われる。
【００１０】
また、好ましくは、モニタは、底部と、底部とモニタとの間を接続する首部とから構成されるスタンドの上に載置され、設置台は、モニタの背面に配置され、ＡＶ機器のリモコンは、モニタの正面側から、モニタと底部の間の空間を介して、設置台側リモコン受光部に対して操作信号を発光する。
【００１１】
また、好ましくは、設置台側リモコン受光部、設置台側リモコン発光部、及びこれらの間のケーブルは、光ファイバケーブルで構成される。
【発明の効果】
【００１２】
以上のように本発明によれば、モニタの高さ方向に場所をとらずに、ＡＶ機器を操作可能な状態で収納する設置台を提供することができる。
【発明を実施するための最良の形態】
【００１３】
以下、第１実施形態について、図１〜６を用いて説明する。第１実施形態におけるＡＶシステム１は、設置台１０、ＨＤＤレコーダ５０、及びＴＶ７０を備える。
【００１４】
なお、方向を説明するために、ＡＶシステム１において、ＴＶ７０の側面の一方から他方への横方向を第１方向ｘ、第１方向ｘに垂直でＴＶ７０の背面から正面への前後方向を第２方向ｙ、第１方向ｘ、第２方向ｙに垂直な方向を第３方向ｚであるとして説明する。また、図１は、ＴＶ７０の背面側に配置された設置台１０、ＨＤＤレコーダ５０の位置関係を説明するため、ＴＶ７０を点線で表す。
【００１５】
ＴＶ７０は、モニタ部７１とスタンド７２で構成される。モニタ部７１は、液晶ＴＶ、プラズマＴＶなどのブラウン管ＴＶよりも薄い（第２方向ｙの長さが短い）タイプのＴＶであり、正面から見て略Ｔ字型のスタンド７２の上に載置される。スタンド７２は、底部７２ａと、底部７２ａとモニタ部７１とを接続する首部７２ｂとから構成される。
【００１６】
ＨＤＤレコーダ５０は、ＴＶ７０に接続され、映像、音楽の録画、再生を行う機器である。ＨＤＤレコーダ５０は、ＨＤＤレコーダ５０の背面に電源線５１、及び映像音声信号線５２が配置される。電源線５１は、交流電源に接続されて、ＨＤＤレコーダ５０に電力を供給し、映像音声信号線５２は、ＴＶ７０と接続されて、映像信号、音声信号などの通信を行う。ＨＤＤレコーダ５０は、リモコン５３を有し、リモコン５３を介して、ＨＤＤレコーダ５０の操作が行われる。
【００１７】
設置台１０は、ＨＤＤレコーダ５０を載置する台であり、ＴＶ７０の背面の出来るだけ近い位置に配置される。
【００１８】
設置台１０は、第１〜第３部１０ａ〜１０ｃで構成される本体と、第１、第２取り付け部１１、１２を有する。第１、第２、第３部１０ａ、１０ｂ、１０ｃは、ＴＶ７０側から第２方向ｙに一体的に構成され、第２部１０ｂは、ＨＤＤレコーダ５０の正面部分を設置するために第３方向ｚに窪みを形成するように、第１、第３部１０ａ、１０ｃよりも第３方向ｚの高さが低く設定される。
【００１９】
第１部１０ａは、正面側に可動設置台側リモコン受光部１０ａ１、リモコン受光部移動枠１０ａ２を有し、上面側に正面側取り付け枠１０ａ３を有する。可動設置台側リモコン受光部１０ａ１は、ＨＤＤレコーダ５０のリモコン５３から発光される操作信号を受光する。可動設置台側リモコン受光部１０ａ１は、レールと固定具などで構成されたリモコン受光部移動枠１０ａ２によって形成された移動範囲内で第１方向ｘに受光位置が移動可能な状態で保持される。可動設置台側リモコン受光部１０ａ１は、後述する第２部１０ｂの可動設置台側リモコン発光部１０ｂ１と接続される（図３、図５中の点線表示）。リモコン５３からの操作信号は、ＴＶ７０のモニタ部７１とスタンド７２の底部７２ａとの間の空間を通って、可動設置台側リモコン受光部１０ａ１に受光（図１、図２、図３、図５中の点線表示）されるが、その受光位置を第１方向ｘで調整することが可能になる。
【００２０】
可動設置台側リモコン受光部１０ａ１、可動設置台側リモコン発光部１０ｂ１、及びこれらを接続するケーブルは、光ファイバケーブルで構成される。そのため、可動設置台側リモコン受光部１０ａ１で受光された操作信号は、光信号のまま、可動設置台側リモコン発光部１０ｂ１から出射（発光）される。従って、設置台１０は、操作信号を電気信号に変換する電気回路を設ける必要はない。但し、可動設置台側リモコン受光部１０ａ１で受光した光の操作信号を電気信号に変えて可動設置台側リモコン発光部１０ｂ１に送信し、可動設置台側リモコン発光部１０ｂ１で再び光信号に変換されてから発光される形態であってもよい。
【００２１】
可動設置台側リモコン受光部１０ａ１と、可動設置台側リモコン発光部１０ｂ１とを接続するケーブルは、可動設置台リモコン受光部１０ａ１、可動設置台側リモコン発光部１０ｂ１が第１方向ｘに移動せしめられる（これらの直線距離が変動する）ことを考慮した長さを有する。
【００２２】
正面側取り付け枠１０ａ３は、第２方向ｙに延びた長穴である。ネジ１３が、第１取り付け部１１の第３方向ｚに垂直な面１１ａの穴１１ａ１と、正面側取り付け枠１０ａ３を介して、ネジ止め（又はボルト止め）される。ネジ１３をネジ止めする位置は、正面側取り付け枠１０ａ３の長穴の範囲で調整される。
【００２３】
第２部１０ｂは、上面側に可動設置台側リモコン発光部１０ｂ１、及びリモコン発光部移動枠１０ｂ２を有する。可動設置台側リモコン発光部１０ｂ１は、第１部１０ａの可動設置台側リモコン受光部１０ａ１で受光したリモコン５３の操作信号をＨＤＤレコーダ５０の正面に配置されたリモコン受光部（不図示）に向けて発光する。可動設置台側リモコン発光部１０ｂ１は、レールと固定具などで構成されたリモコン発光移動枠１０ｂ２によって形成された移動範囲内で第１方向ｘに発光位置が移動可能な状態で保持される。これにより、ＨＤＤレコーダ５０のリモコン受光部の第１方向ｘの位置に合わせて可動設置台側リモコン発光部１０ｂ１を第１方向ｘに移動して調整することが可能になる。
【００２４】
第３部１０ｃは、上面側に背面側取り付け枠１０ｃ３を有する。背面側取り付け枠１０ｃ３は、第２方向ｙに延びた長穴である。ネジ１４が、第２取り付け部１２の第３方向ｚに垂直な面１２ｃの穴１２ｃ１と、背面側取り付け枠１０ｃ３を介して、ネジ止め（又はボルト止め）される。ネジ１４をネジ止めする位置は、背面側取り付け枠１０ｃ３の長穴の範囲で調整される。
【００２５】
第１、第３部１０ａ、１０ｃの第２方向ｙの長さは、第１、第２取り付け部１１、１２を使ったＨＤＤレコーダ５０の取り付け及び保持に支障をきたさない程度に短い方が望ましい。第２部１０ｂの第２方向ｙの長さは、ＨＤＤレコーダ５０の正面が第２部１０ｂによって形成される窪みに入り込む程度の長さを有する。
【００２６】
第１取り付け部１１は、第３方向に垂直な面１１ａと第２方向ｙに垂直な面１１ｂとで構成され、側面から見てＬ字形状を有する。第２取り付け部１２は、第３方向に垂直な面１２ｃと第２方向ｙに垂直な面１２ｂとで構成され、側面から見てＬ字形状を有する。ＨＤＤレコーダ５０の取り付け時に、第１取り付け部１１の第２方向ｙに垂直な面１１ｂはＨＤＤレコーダ５０の上面または下面、及び第２取り付け部１２の第２方向ｙに垂直な面１２ｂは、ＨＤＤレコーダ５０の下面または上面と接触する。
【００２７】
ネジ１３、１４のネジ止め位置を第２方向ｙで調整することにより、第１取り付け部１１の第２方向ｙに垂直な面１１ｂと第２取り付け部１２の第２方向ｙに垂直な面１２ｂとを使ってＨＤＤレコーダ５０を第２方向ｙに付勢して固定する位置を調整し、ＨＤＤレコーダ５０のリモコン受光部と可動設置台側リモコン発光部１０ｂ１の第２方向ｙの位置関係を調整することが可能になる。
【００２８】
また、ＨＤＤレコーダ５０の正面の形状が平面でなく、ＨＤＤレコーダ５０の正面の全部が第２部１０ｂの上面と接触しない場合であっても、ＨＤＤレコーダ５０を固定することが可能になる。この場合、ＨＤＤレコーダ５０の正面と、第２部１０ｂの上面との間に、ＨＤＤレコーダ５０のリモコン受光部や第２部１０ｂの可動設置台側リモコン発光部１０ｂ１との間の操作信号を遮らない程度にスペーサ（図６参照）を挿入しておくのが望ましい。
【００２９】
ブラウン管を使ったＴＶのように、モニタ部分が比較的分厚いＴＶの場合は、ＴＶの上面部に、ＨＤＤレコーダ５０などの周辺機器を載置することが可能であった。しかしながら、液晶ＴＶやプラズマＴＶのように、モニタ部分が比較的薄いＴＶの場合は、ＴＶの上面部に、周辺機器を載置することが出来ない。また、取り付け安定性の観点から、周辺機器の上にＴＶを載置することは適当ではない。
【００３０】
このため、ＨＤＤレコーダなどの周辺機器をＴＶの下に載置可能なラック付きのＴＶ載置台も用意されているが、ＴＶの高さ方向（第３方向ｚ）に場所をとる問題がある。一方、ブラウン管などのモニタ部分が比較的分厚いＴＶから、液晶ＴＶやプラズマＴＶのようにモニタ部分が比較的薄いＴＶに置き換えた場合、ＴＶの背面部分は空きスペースが出来る。第１実施形態では、かかる空きスペースにＨＤＤレコーダなどの周辺機器を、正面からのリモコン操作を遮ることなく、配置することが可能になる。なお、ＨＤＤレコーダ５０には、正面部に操作状態を示す表示部を有するタイプもあるが、操作状態は、ＴＶ７０に表示可能であるため、第１実施形態のように表示部が隠されたとしても操作に問題は生じない。
【００３１】
また、ＤＶＤやＶＴＲのように記録媒体を挿入、取り出しする操作が不要であるＨＤＤレコーダの場合、正面部分が設置台１０によって隠されたとしても、操作に問題は生じない。
【００３２】
次に、第２実施形態について説明する（図７〜図１１参照）。第２実施形態では、第１部１０ａから、第２方向ｙで且つ正面方向に向けて突出した第４部１０ｄがある点で、第１実施形態と異なる。以下、第１実施形態と異なる部分を中心に説明する。
【００３３】
設置台１０は、ＨＤＤレコーダ５０を載置する台であり、ＴＶ７０の背面の出来るだけ近い位置に配置される。但し、第４部１０ｄは、ＴＶ７０のモニタ部７１とスタンド７２の底部７２ａとの間の空間に配置される。
【００３４】
設置台１０は、第１〜第４部１０ａ〜１０ｄで構成される本体と、第１、第２取り付け部１１、１２を有する。第４、第１、第２、第３部１０ｄ、１０ａ、１０ｂ、１０ｃは、ＴＶ７０側から第２方向ｙに一体的に構成され、第２部１０ｂは、ＨＤＤレコーダ５０の正面部分を設置するために第３方向ｚに窪みを形成するように、第１、第３部１０ａ、１０ｃよりも第３方向ｚの高さが低く設定される。
【００３５】
第４部１０ｄは、第１部１０ａの正面部分から第２方向ｙで且つＴＶ７０がある正面側に突出した部分であり、正面に固定設置台側リモコン受光部１０ｄ１を有する。固定設置台側リモコン受光部１０ｄ１は、ＨＤＤレコーダ５０のリモコン５３から発光される操作信号を受光する。固定設置台側リモコン受光部１０ｄ１は、後述する第２部１０ｂの可動設置台側リモコン発光部１０ｂ１と接続される（図９、図１１中の点線表示）。固定設置台側リモコン受光部１０ｄ１は第４部１０ｄの正面に固定される。リモコン５３からの操作信号は、ＴＶ７０のモニタ部７１とスタンド７２の底部７２ａとの間の空間に配置された第４部１０ｄの固定設置台側リモコン受光部１０ｄ１に受光（図７、図８、図９、図１１中の点線表示）されるため、第１実施形態のように、その受光位置を第１方向ｘで調整する必要はない。
【００３６】
固定設置台側リモコン受光部１０ｄ１、可動設置台側リモコン発光部１０ｂ１、及びこれらを接続するケーブルは、光ファイバケーブルで構成される。そのため、固定設置台側リモコン受光部１０ｄ１で受光された操作信号は、光信号のまま、可動設置台側リモコン発光部１０ｂ１から出射（発光）される。従って、設置台１０は、操作信号を電気信号に変換する電気回路を設ける必要はない。但し、固定設置台側リモコン受光部１０ｄ１で受光した光の操作信号を電気信号に変えて可動設置台側リモコン発光部１０ｂ１に送信し、可動設置台側リモコン発光部１０ｂ１で再び光信号に変換されてから発光される形態であってもよい。
【００３７】
固定設置台側リモコン受光部１０ｄ１と、可動設置台側リモコン発光部１０ｂ１とを接続するケーブルは、可動設置台側リモコン発光部１０ｂ１が第１方向ｘに移動せしめられる（これらの直線距離が変動する）ことを考慮した長さを有する。
【００３８】
第１部１０ａは、上面側に正面側取り付け枠１０ａ３を有する。正面側取り付け枠１０ａ３は、第２方向ｙに延びた長穴である。ネジ１３が、第１取り付け部１１の第３方向ｚに垂直な面１１ａの穴１１ａ１と、正面側取り付け枠１０ａ３を介して、ネジ止め（又はボルト止め）される。ネジ１３をネジ止めする位置は、正面側取り付け枠１０ａ３の長穴の範囲で調整される。
【００３９】
第２部１０ｂは、上面側に可動設置台側リモコン発光部１０ｂ１、及びリモコン発光部移動枠１０ｂ２を有する。可動設置台側リモコン発光部１０ｂ１は、第４部１０ｄの固定設置台側リモコン受光部１０ｄ１で受光したリモコン５３の操作信号をＨＤＤレコーダ５０の正面に配置されたリモコン受光部（不図示）に向けて発光する。可動設置台側リモコン発光部１０ｂ１は、レールと固定具などで構成されたリモコン発光移動枠１０ｂ２によって形成された移動範囲内で第１方向ｘに発光位置が移動可能な状態で保持される。これにより、ＨＤＤレコーダ５０のリモコン受光部の第１方向ｘの位置に合わせて可動設置台側リモコン発光部１０ｂ１を第１方向ｘに移動して調整することが可能になる。
【００４０】
第３部１０ｃは、上面側に背面側取り付け枠１０ｃ３を有する。背面側取り付け枠１０ｃ３は、第２方向ｙに延びた長穴である。ネジ１４が、第２取り付け部１２の第３方向ｚに垂直な面１２ｃの穴１２ｃ１と、背面側取り付け枠１０ｃ３を介して、ネジ止め（又はボルト止め）される。ネジ１４をネジ止めする位置は、背面側取り付け枠１０ｃ３の長穴の範囲で調整される。
【００４１】
第１、第３部１０ａ、１０ｃの第２方向ｙの長さは、第１、第２取り付け部１１、１２を使ったＨＤＤレコーダ５０の取り付け及び保持に支障をきたさない程度に短い方が望ましい。第２部１０ｂの第２方向ｙの長さは、ＨＤＤレコーダ５０の正面が第２部１０ｂによって形成される窪みに入り込む程度の長さを有する。
【００４２】
第４部１０ｄの第２方向ｙの長さ（第１部１０ａからの突出量）は、ＴＶ７０のモニタ部７１とスタンド７２の底部７２ａとの間の空間または空間から少し突出した部分に受光部１０ｄ１が位置される程度に設定されるのが望ましい。モニタ部７１やスタンド７２の首部７２ｂの陰になってリモコン５３からの操作信号が遮られるのを防ぐためである。
【００４３】
第１、第２取り付け部１１、１２の構成、ＨＤＤレコーダ５０を設置台１０に取り付ける構成は、第１実施形態と同じである。
【００４４】
第２実施形態では、リモコン５３の操作信号を受光する固定設置台側リモコン受光部１０ｄ１が、第１実施形態における可動設置台側リモコン受光部１０ａ１に比べて、ＴＶ７０側に配置されるため、モニタ部７１やスタンド７２の首部７２ｂなどの陰になって受光が妨げられる可能性を低くすることが可能になる。
【図面の簡単な説明】
【００４５】
【図１】正面側に配置されたＴＶを点線表示した状態で、第１実施形態におけるＡＶシステムの構成を示す斜視図である。
【図２】第１実施形態におけるＨＤＤレコーダが設置台に取り付けられた状態の斜視図である。
【図３】第１実施形態におけるＨＤＤレコーダが設置台に取り付けられる前の状態の斜視図である。
【図４】第１実施形態におけるＡＶシステムの正面図である。
【図５】第１実施形態におけるＡＶシステムの側面図である。
【図６】第１実施形態におけるＡＶシステムであって、正面部分に凹凸のあるＨＤＤレコーダを設置した場合の測面図である。
【図７】正面側に配置されたＴＶを点線表示した状態で、第２実施形態におけるＡＶシステムの構成を示す斜視図である。
【図８】第２実施形態におけるＨＤＤレコーダが設置台に取り付けられた状態の斜視図である。
【図９】第２実施形態におけるＨＤＤレコーダが設置台に取り付けられる前の状態の斜視図である。
【図１０】第２実施形態におけるＡＶシステムの正面図である。
【図１１】第２実施形態におけるＡＶシステムの側面図である。
【符号の説明】
【００４６】
１  ＡＶシステム
１０  設置台
１０ａ、１０ｂ、１０ｃ、１０ｄ  第１部、第２部、第３部、第４部
１０ａ１  可動設置台側リモコン受光部
１０ａ２  リモコン受光部移動枠
１０ａ３  正面側取り付け枠
１０ｂ１  可動設置台側リモコン発光部
１０ｂ２  リモコン発光部移動枠
１０ｃ３  背面側取り付け枠
１０ｄ１  固定設置台側リモコン受光部
１１、１２  第１、第２取り付け部
１１ａ  第１取り付け部の第３方向に垂直な面
１１ｂ  第１取り付け部の第２方向に垂直な面
１２ｂ  第２取り付け部の第２方向に垂直な面
１２ｃ  第２取り付け部の第３方向に垂直な面
１３、１４  ネジ
５０  ＨＤＤレコーダ
５１  電源線
５２  映像音声信号線
５３  リモコン
７０  ＴＶ
７１  モニタ
７２  スタンド
７２ａ  底部
７２ｂ  首部
【図１】
2008167372.tif 000003
【図２】
2008167372.tif 000004
【図３】
2008167372.tif 000005
【図４】
2008167372.tif 000006
【図５】
2008167372.tif 000007
【図６】
2008167372.tif 000008
【図７】
2008167372.tif 000009
【図８】
2008167372.tif 000010
【図９】
2008167372.tif 000011
【図１０】
2008167372.tif 000012
【図１１】
2008167372.tif 000013